(57)【要約】【課題】無線の通信において、コストを削減しつつ、かつ、複数の送信先ごとに、自身に送信されたデータを識別することを目的とする。【解決手段】送信手段と、複数の受信手段との間で無線の通信を行う無線の通信システムであって、前記送信手段は、前記複数の受信手段のそれぞれに設定された識別番号と対応する識別コードを生成し、画像データに基づいて生成され、前記複数の受信手段のそれぞれが、前記複数の受信手段のそれぞれに対応して設けられた光源の点灯及び消灯を制御するために用いる制御データと、前記識別コードとを合成した送信データを生成し、前記受信手段は、前記送信データに含まれる前記識別コードと、前記受信手段に設定された前記識別番号とに基づき、前記受信手段に対応して設けられた光源の前記制御データを識別することにより上記課題を解決する。【選択図】図３
2015018185.tif 000002
【特許請求の範囲】
【請求項１】
送信手段と、複数の受信手段との間で無線の通信を行う無線の通信システムであって、
前記送信手段は、
前記複数の受信手段のそれぞれに設定された識別番号と対応する識別コードを生成する生成手段と、
画像データに基づいて生成され、前記複数の受信手段のそれぞれが、前記複数の受信手段のそれぞれに対応して設けられた光源の点灯及び消灯を制御するために用いる制御データと、前記識別コードとを合成した送信データを生成するデータ合成手段と、を有し、
前記受信手段は、
前記送信データに含まれる前記識別コードと、前記受信手段に設定された前記識別番号とに基づき、前記受信手段に対応して設けられた光源の前記制御データを識別する識別手段を有する通信システム。
【請求項２】
前記受信手段は、
前記識別コードに含まれるデータに基づいて、前記制御データを用いた前記光源の制御を行うタイミングであるか否かを判定するエラー判定を行うエラー判定手段と、
前記エラー判定により、前記制御を行うタイミングでないと判定された場合、エラー処理を行うエラー処理手段を有する請求項１記載の通信システム。
【請求項３】
前記受信手段は、
前記送信データに含まれる前記制御データが前記送信手段による送信前の前記制御データから変更されたか否かを判定するエラー判定手段と、
前記エラー判定手段により、前記送信データに含まれる前記制御データが送信前の前記制御データから変更されたと判定された場合、エラー処理を行うエラー処理手段と、を有する請求項１記載の通信システム。
【請求項４】
前記エラー処理は、前記光源を消灯させる処理である請求項２または３記載の通信システム。
【請求項５】
前記エラー処理は、前記エラー判定手段による判定結果を記憶部に記憶させる処理である請求項２または３記載の通信システム。
【請求項６】
前記エラー処理は、前記光源を消灯させた後に、前記送信手段に前記エラー判定手段によりエラーと判定された送信データを再度送信させる処理である請求項２または３記載の通信システム。
【請求項７】
送信手段と、複数の受信手段との間で前記複数の受信手段にそれぞれに対応して設けられた光源の点灯及び消灯を制御する制御データの送受信を行う通信システムを有し、前記制御データに基づいて感光体に静電潜像を形成させる書込装置であって、
前記送信手段は、
前記複数の受信手段のそれぞれに設定された識別番号と対応する識別コードを生成する生成手段と、
画像データに基づいて生成され、前記受信手段が光源の点灯及び消灯を制御するために用いる制御データと、前記識別コードを合成した送信データを生成するデータ合成手段と、を有し、
前記受信手段は、
前記送信データに含まれる識別コードと、前記受信手段に設定された前記識別番号に基づき、前記光源の点灯及び消灯を制御するデータを識別する識別手段を有する書込装置。
【請求項８】
送信手段と、複数の受信手段との間で前記複数の受信手段にそれぞれに対応して設けられた光源の点灯及び消灯を制御する制御データの送受信を行う通信システムと、前記制御データに基づいて感光体に静電潜像を形成させる書込装置と、を有する画像形成装置であって、
前記送信手段は、
前記複数の受信手段のそれぞれに設定された識別番号と対応する識別コードを生成する生成手段と、
画像データに基づいて生成され、前記受信手段が光源の点灯及び消灯を制御するために用いる制御データと、前記識別コードを合成した送信データを生成するデータ合成手段と、を有し、
前記受信手段は、
前記送信データに含まれる識別コードと、前記受信手段に設定された前記識別番号に基づき、前記光源の点灯及び消灯を制御するデータを識別する識別手段を有する画像形成装置。
【請求項９】
送信手段と、複数の受信手段との間で光通信を行う光通信システムによる通信方法であって、
前記送信手段が、
前記複数の受信手段のそれぞれに設定された識別番号と対応する識別コードを生成する生成手順と、
画像データに基づいて生成され、前記受信手段が光源の点灯及び消灯を制御するために用いる制御データと、前記識別コードを合成した送信データを生成するデータ合成手順と、を行い、
前記受信手段が、
前記送信データに含まれる識別コードと、前記受信手段に設定された前記識別番号に基づき、前記光源の点灯及び消灯を制御するデータを識別する識別手順を行う通信方法。
【発明の詳細な説明】
【技術分野】
【０００１】
本発明は、通信システム、書込装置、画像形成装置及び通信方法に関する。
【背景技術】
【０００２】
従来の画像形成装置では、内部で電気ケーブル等により部品同士を電気的に接続し、データの送受信が有線の通信で行われている。また、画像形成装置では、部品間でのデータの送受信を無線で行う場合の一例として光通信で行うことで、電気ケーブル等の部品の重量削減や信号の品質を確保する方法が知られている（例えば、特許文献１参照）。
【０００３】
光通信に代表される無線通信において、複数のデータの送信先が存在する場合、例えば多面体ミラー等を用いて光を所望の方向に反射させ、データを送信先ごとに区別して送信する方法が知られている（例えば、特許文献２参照）。
【発明の概要】
【発明が解決しようとする課題】
【０００４】
従来の光通信に代表される無線通信では、複数の送信先ごとにデータを送信する際に、例えば多面体ミラー等の部品を用いて行っていた。そのため、通信システムの部品点数が増えてコストが増加する虞がある。
【０００５】
本発明の１つの側面は、上記の課題に鑑みてなされたものであり、多面体ミラー等の部品点数を減らすことによりコストを削減しつつ、複数の送信先の各々において、各々の送信先に送信されたデータであることを識別することができる通信システム、画像形成装置及び通信方法を提供することを目的とする。
【課題を解決するための手段】
【０００６】
一態様における通信システムは、送信手段と、複数の受信手段との間で無線の通信を行う無線の通信システムであって、前記送信手段は、前記複数の受信手段のそれぞれに設定された識別番号と対応する識別コードを生成する生成手段と、画像データに基づいて生成され、前記複数の受信手段のそれぞれが、前記複数の受信手段のそれぞれに対応して設けられた光源の点灯及び消灯を制御するために用いる制御データと、前記識別コードとを合成した送信データを生成するデータ合成手段と、を有し、前記受信手段は、前記送信データに含まれる前記識別コードと、前記受信手段に設定された前記識別番号とに基づき、前記受信手段に対応して設けられた光源の前記制御データを識別する識別手段を有することを特徴とする。
【発明の効果】
【０００７】
無線の通信において、多面体ミラー等の部品点数を減らすことによりコストを削減しつつ、複数の送信先の各々において、各々の送信先に送信されたデータであることを識別することができる。
【図面の簡単な説明】
【０００８】
【図１】第１実施形態に係る画像形成装置の概略構成の一例を示す図である。
【図２】第１実施形態に係る画像形成装置の機能構成の一例を説明する機能ブロック図である。
【図３】本発明の一実施形態における光通信システムのハードウェア構成図の一例を説明するブロック図である。
【図４】本発明の一実施形態における光通信システムの識別番号の設定の一例を説明する表である。
【図５】光通信システムの送信制御ＩＣの一例を説明する機能ブロック図である。
【図６】光通信システムの受信制御ＩＣの一例を説明する機能ブロック図である。
【図７】光通信システムの受信制御ＩＣの他の実施形態の一例を説明する機能ブロック図である。
【図８】識別コードと合成データの一例を説明する対応表である。
【図９】識別コードの他の実施形態の一例を説明する対応表である。
【図１０】第１実施形態の画像形成装置による一連の動作の流れの一例を説明するフローチャートである。
【図１１】第１実施形態における光通信システムの送信処理の流れの一例を説明するフローチャートである。
【図１２】第１実施形態における光通信システムの受信処理の流れの一例を説明するフローチャートである。
【図１３】本発明の一実施形態におけるエラー判定処理の流れの一例を説明するフローチャートである。
【図１４】第１実施形態におけるエラー処理の流れの一例を説明するフローチャートである。
【図１５】第２実施形態におけるエラー処理の流れの一例を説明するフローチャートである。
【図１６】第３実施形態におけるエラー処理の流れの一例を説明するフローチャートである。
【図１７】本発明の一実施形態における電波通信システムのハードウェア構成図の一例を説明するブロック図である。
【発明を実施するための形態】
【０００９】
以下、本発明の実施の形態について説明する。
【００１０】
＜第１実施形態＞
＜画像形成装置の概略構成＞
図1は、第１実施形態に係る画像形成装置の概略構成の一例を示す図である。なお、図1の例では、カラー画像形成でタンデム方式と称される二次転写機構を有する電子写真方式の画像形成装置を示す。
【００１１】
画像形成装置１０００は、例えば、イエロー（Ｙ）、シアン（Ｃ）、マゼンタ（Ｍ）、ブラック（Ｋ）等の各色に対応した別々の感光体ドラム（以下、「感光体」と略称する）を有する（以下、適宜括弧内に示した記号で色を表す場合がある）。
【００１２】
画像形成装置１０００は、例えば、ファクシミリ装置、印刷装置（プリンタ）、複写機、及び複合機に含まれる画像形成装置である。
【００１３】
画像形成装置１０００は、光学装置１０１と、像形成部１０２と、転写部１０３を有する。光学装置１０１と、像形成部１０２と、転写部１０３が、画像形成とテストパターン形成を行う。
【００１４】
光学装置１０１は、複数の光源（図示せず）から放出された光ビームＢＭを、ポリゴンミラー１１０で偏向させ、走査レンズ１１１ａ、１１１ｂに入射させる。走査レンズ１１１ａ、１１１ｂは、例えばｆθレンズ等である。
【００１５】
光ビームＢＭは、イエロー（Ｙ）、ブラック（Ｋ）、マゼンタ（Ｍ）、シアン（Ｃ）の各色に対応した数である。光ビームＢＭは、走査レンズ１１１ａ、１１１ｂを通過した後、反射ミラー１１２ｙ〜１１２ｃで反射される。
【００１６】
例えば、イエローの光ビームＹは、走査レンズ１１１ａを透過して反射ミラー１１２ｙで反射される。他のブラック、マゼンタ、シアンの色も同様であるため、ここでは説明を省略する。
【００１７】
ＷＴＬレンズ１１３ｙ〜１１３ｃは、反射ミラー１１２ｙ〜１１２ｃから反射されて入射された各色の光ビームＹ〜Ｃを整形した後、反射ミラー１１４ｙ〜１１４ｃへと各色の光ビームＹ〜Ｃを偏向させる。
【００１８】
反射ミラー１１４ｙ〜１１４ｃで偏向された各光ビームＹ〜Ｃは、反射ミラー１１５ｙ〜１１５ｃで反射する。反射の後、光ビームＹ〜Ｃは、露光のために感光体１２０ｙ〜１２０ｃへと像状照射される。
【００１９】
感光体１２０ｙ〜１２０ｃへの各色の光ビームＹ〜Ｃの照射は、上述したＷＴＬレンズ１１３ｙ〜１１３ｃ、反射ミラー１１４ｙ〜１１４ｃ、反射ミラー１１５ｙ〜１１５ｃ等の複数の光学要素を使用する。そして、感光体１２０ｙ〜１２０ｃに対する主走査方向および副走査方向に関して、タイミング同期が行われる。
【００２０】
以下、感光体１２０ｙ〜１２０ｃに対する主走査方向を、光ビームの走査方向とする。感光体１２０ｙ〜１２０ｃに対する副走査方向を、主走査方向に対して直交する方向とし、感光体１２０ｙ〜１２０ｃの回転する方向とする。
【００２１】
感光体１２０ｙ〜１２０ｃは、アルミニウム等の導電性ドラム上に、少なくとも電荷発生層と電荷輸送層と光導電層を有する。光導電層は、それぞれ感光体１２０ｙ〜１２０ｃに対応して配設され、コロトロン、スコロトロン、又は帯電ローラ等を有する。帯電器１２２ｙ〜１２２ｃにより表面電荷が付与される。
【００２２】
各帯電器１２２ｙ〜１２２ｃによって感光体１２０ｙ〜１２０ｃ上にそれぞれ付与された静電荷は、光ビームＹ〜Ｃによりそれぞれ像状露光される。各帯電器１２２ｙ〜１２２ｃの被走査面上に、静電潜像が形成される。
【００２３】
現像器１２１ｙ〜１２１ｃは、現像スリーブ、現像剤供給ローラ、規制ブレード等を有する。感光体１２０ｙ〜１２０ｃの被走査面上にそれぞれ形成された静電潜像は、現像器１２１ｙ〜１２１ｃによりそれぞれ現像される。これによって、感光体１２０ｙ〜１２０ｃの被走査面上に現像剤像が形成される。
【００２４】
感光体１２０ｙ〜１２０ｃの被走査面上に担持された各現像剤は、搬送ローラ１３１ａ〜１３１ｃにより矢示Ｄの方向に移動する中間転写ベルト１３０上に転写される。１３２ｙ〜１３２ｃは、それぞれ感光体１２０ｙ〜１２０ｃに対する１次転写ローラである。
【００２５】
中間転写ベルト１３０は、感光体１２０ｙ〜１２０ｃの被走査面上からそれぞれ転写されたＹ、Ｋ、Ｍ、Ｃの現像剤を担持した状態で２次転写部へと搬送される。すなわち、この中間転写ベルト１３０が、中間転写体に相当する。
【００２６】
２次転写部は、２次転写ベルト１３３と、搬送ローラ１３４ａ、１３４ｂを有する。２次転写ベルト１３３は、搬送ローラ１３４ａ、１３４ｂにより矢示Ｅの方向に搬送される。
【００２７】
２次転写部に、給紙カセット等の記録媒体収容部Ｔから記録媒体Ｐが搬送ローラ１３５により供給される。受像材である記録媒体Ｐとしては、紙やプラスチックシート、金属シート等が用いられる。２次転写部は、２次転写バイアス電圧を印加して、中間転写ベルト１３０上に担持された多色現像剤像を、２次転写ベルト１３３上に吸着保持された記録媒体Ｐに転写する。
【００２８】
次に、記録媒体Ｐは、２次転写ベルト１３３の搬送と共に定着装置１３６へと供給される。
【００２９】
定着装置１３６は、定着ローラ等の定着部材１３７を有する。定着ローラはシリコーンゴム、フッ素ゴム等の部材からなる。定着装置１３６は、記録媒体Ｐと多色現像剤像を加圧加熱する。そして、排紙ローラ１３８で記録媒体Ｐを印刷物Ｐ２として画像形成装置１０００の外部へ排出する。
【００３０】
多色現像剤像を転写した後、中間転写ベルト１３０は、クリーニング部１３９によって残った現像剤を除去される。クリーニング部１３９は、クリーニングブレード（図示せず）を有する。除去の後、次の画像形成プロセスとなる。
【００３１】
また、搬送ローラ１３１ａの近傍に、３個の検出センサ（以下、検出センサという場合もある。）５ａ〜５ｃを設置する。
【００３２】
検出センサ５ａ〜５ｃは、中間転写ベルト１３０上に形成されたテストパターンを検出する。テストパターンは、例えば色ずれ補正処理用テストパターン、濃度補正処理用テストパターン等がある。
【００３３】
検出センサ５ａ〜５ｃは、例えば公知の反射型フォトセンサである。各検出センサ５ａ〜５ｃによる検出結果に基づいて、各種のずれ量を算出する。
【００３４】
ずれ量は、例えば基準色に対する各色のスキュー（傾き）ずれ量、主走査レジストずれ量、副走査レジストずれ量、及び主走査倍率誤差である。ずれ量に基づいて、各種のずれを補正処理する。ずれの補正処理は、画像形成条件（色ずれ、濃度等）を補正処理し、補正処理された画像形成条件でテストパターンを形成する。
【００３５】
＜画像形成装置の全体構成：ブロック図＞
図２は、第１実施形態に係る画像形成装置の機能構成の一例を説明する機能ブロック図である。
【００３６】
本実施形態の画像形成装置１０００は、コントローラ部１と、画像処理部２と、画像形成部３を有する。
【００３７】
本実施形態の画像形成装置１０００は、外部装置であるＰＣ（Ｐｅｒｓｏｎａｌ  Ｃｏｍｐｕｔｅｒ）等と接続し、接続されている外部装置からスキャナで読み取った画像のデータや画像形成要求の信号が送られる。外部装置から送られてきたデータ等は、本実施形態の画像形成装置１０００に送られると、コントローラ部１に入力される。
【００３８】
コントローラ部１は、外部装置から送られてきたデータ等を記憶する処理を行う。コントローラ部１は、記憶する処理以外に、例えばデータの圧縮や伸張、記憶装置への送信等の処理も行う。コントローラ部１で記憶された画像データは画像処理部２に送られる。
【００３９】
画像処理部２は、コントローラ部１から送られてきた画像データの画像処理を行う。例えば画像処理部２は、画像データに階調処理等の補正の処理を行う。画像処理部２は、画像処理を行った後、画像処理を行った画像に対応する書込データを画像形成部３の光学装置１０１に送る。書込データは、光源の点灯及び消灯を制御するために用いるデータである。
【００４０】
画像形成部３は、光学装置１０１を有し、書込データに基づいて光源であるレーザの点灯／消灯を制御する。
【００４１】
本実施例の画像処理部２と光学装置１０１との間のデータの送受信を光通信で行う。本実施例では、光通信を用いることにより、電気ケーブルで電気的に画像処理部２と光学装置１０１を接続してデータの送信を行う場合と比べて、重量やコストの削減及び静電気やＥＭＩ（Ｅｌｅｃｔｒｏ  Ｍａｇｎｅｔｉｃ  Ｉｎｔｅｒｆｅｒｅｎｃｅ）を低減させることができる。
【００４２】
以下、画像処理部２と光学装置１０１との間のデータの通信の例を説明する。
【００４３】
図３は、本発明の一実施形態における光通信システムのハードウェア構成図の一例を説明するブロック図である。光学装置１０１は、各色に対応するレーザ２７１、２７２、２７３、２７４が発する光ビームＢＭに基づいて、感光体１２０ｙ、１２０ｃ、１２０ｍ、１２０ｋに静電潜像を形成し、静電潜像にトナーを付着させて画像を形成する。
【００４４】
画像処理部２は、送信制御ＩＣ（Ｉｎｔｅｇｒａｔｅｄ  Ｃｉｒｃｕｉｔ）４３を有する。送信制御ＩＣ４３には、発光素子４が接続されている。発光素子４は、例えば赤外ＬＥＤ（Ｌｉｇｈｔ  Ｅｍｉｔｔｉｎｇ  Ｄｉｏｄｅ）等である。発光素子４は、送信制御ＩＣ４３によって点灯／消灯の制御が行われている。
【００４５】
光学装置１０１は、複数のレーザ駆動部４１、４２を有する。各レーザ駆動部４１、４２は、それぞれ受信制御ＩＣ４４、４５を有する。受信制御ＩＣ４４には、受光素子５１とレーザ２７１、２７２が接続されている。受信制御ＩＣ４５には、受光素子５２と、レーザ２７３、２７４が接続されている。
【００４６】
レーザ２７１、２７２、２７３、２７４は、Ｙ、Ｋ、Ｍ、Ｃの各色に対応しており、受信制御ＩＣ４４、４５によって光量や点灯のタイミングが制御される。受信制御ＩＣ４４、４５は、発光素子４から送信されてきた送信データを受信し、受信した送信データにしたがって、ＹとＫの色に対応するレーザ２７１、２７２を制御する。受信制御ＩＣ４５は、発光素子４から送信されてきた送信データを受信し、受信した送信データにしたがって、ＹとＫの色に対応するレーザ２７３、２７４を制御する。なお、本実施形態の受信制御ＩＣ４４、４５は、それぞれ同様の動作を行うものである。
【００４７】
本実施例の受信制御ＩＣ４４、４５は、送信されたデータのうち、自身に送信されたデータかを識別するための判定処理を行う。本実施例では、この判定処理を行うことで、受光素子５１、５２のそれぞれが自身に送信されたデータを識別でき、受信の際にデータを取り違えることを抑制できる。
【００４８】
本実施例の判定処理では、受信制御ＩＣ４４、４５が自身に送信されたデータを識別するための識別コードを用いる。識別コードは、データを送る際に、送信先を示すデータとして送信処理で生成される。そして、生成された識別コードは、送信されるデータに合成されて、送信されたデータに含まれて受信制御ＩＣ４４、４５に送られる。受信制御ＩＣ４４、４５は、受信したデータに含まれる識別コードから判定処理を行う。
【００４９】
具体的には受信制御ＩＣ４４、４５は、識別コードと、自身を示す受信制御ＩＣ４４、４５に予め設定されている他と重複して使用されていない唯一の番号のデータ（以下、識別番号という）を照合する。照合した結果、受信制御ＩＣ４４、４５は、識別コードと識別番号が一致したデータを自身に送信されたデータであると識別する判定処理を行う。
【００５０】
識別番号は受信制御ＩＣ４４、４５の有するｉｎ０、ｉｎ１端子に電圧レベルで設定される。識別番号は、例えば図４の通りに受信制御ＩＣ４４、４５に設定される。
【００５１】
図４は、本発明の一実施形態における光通信システムの識別番号の設定の一例を説明する表である。
【００５２】
本実施例では、受信制御ＩＣ４４、４５のｉｎ０端子にＨｉｇｈレベルまたはＬｏｗレベルの電圧を印加し、さらにｉｎ１端子にＬｏｗレベルの電圧を印加するように設定する。
【００５３】
図３に示す実施形態の例では、受信制御ＩＣ４４は、ｉｎ０端子にＬｏｗレベルの電圧が印加されているので、識別番号は「０」が設定される。同様に受信制御ＩＣ４５は、ｉｎ０端子にＨｉｇｈレベルの電圧が印加されているので、識別番号「１」が設定される。
【００５４】
このような設定を行うことで、複数の同じ受信制御ＩＣを用いても、それぞれを識別することができる。本実施例の識別番号は、複数の受信制御ＩＣを一意に特定する値とした。
【００５５】
なお、本実施形態では画像形成装置１０００内の画像処理部２と光学装置１０１との間のデータの通信を一例として説明したが、実施形態はこれに限られるものではない。
【００５６】
本実施形態で説明した通信の方法は、例えば光通信を行う通信システムにおいて適用することができる。
【００５７】
なお、本実施形態では送信手段が１つに対して、受信手段２つの形態で例示したが、実施形態はこれに限られるものではない。例えば、送信手段１つと受信手段２つを１セットとして、画像形成装置に２セット以上のものが用いられていてもよい。さらに、送信手段が１つに対して、受信手段が３つ以上あるものでもよい。
【００５８】
＜送信処理部＞
図５は、光通信システムの送信制御ＩＣの一例を説明する機能ブロック図である。
【００５９】
本実施形態の光通信システムの送信処理は、送信制御ＩＣ４３によって行われる。
【００６０】
本実施形態の送信制御ＩＣ４３は、色版セレクタ部１１と、識別コード生成部１２と、データ合成部１３と、８ビット／１０ビット変換部１４と、パラレル／シリアル変換部１５と、ドライバ部１６を有する。また、送信制御ＩＣ４３には発光素子４が接続している。
【００６１】
色版セレクタ部１１は、コントローラ部１から送られてきた入力された印字データに対する書込データを識別コード生成部１２と、データ合成部１３に送る。Ｙ、Ｍ、Ｃ、Ｋの４色の印字データは、コントローラ部１に入力されてから時分割されて光学装置１０１に送られる。色版セレクタ部１１は、例えばＹ→Ｍ→Ｃ→Ｋといった順序になるように、送るデータを４色の印字データから順番に選択して、書込データとして送る。
【００６２】
識別コード生成部１２は、色版セレクタ部１１から送られてくる書込データに対応させて後述する識別コードを生成し、生成した識別コードをデータ合成部１３へ送る。
【００６３】
データ合成部１３は、色版セレクタ部１１から送られてくる書込データと識別コード生成部１２から送られてくる識別コードを合成して、後述する８ビットの合成データを生成し、８ビット／１０ビット変換部１４に合成データを送る。
【００６４】
８ビット／１０ビット変換部１４は、データ合成部１３から送られてくる８ビットの合成データを１０ビットのデータに変換し、変換した１０ビットの合成データをパラレル／シリアル変換部１５に送る。
【００６５】
パラレル／シリアル変換部１５は、８ビット／１０ビット変換部１４から送られてくる合成データをシリアルデータに変換し、シリアルデータの形式になった合成データをドライバ部１６に送る。
【００６６】
ドライバ部１６は、パラレル／シリアル変換部１５から送られてくる合成データに基づいて発光素子４を制御する。
【００６７】
なお、本実施形態では、色版セレクタ部１１と識別コード生成部１２とデータ合成部１３を別々に行う構成で例示したが、実施形態はこれに限られない。例えば、色版セレクタ部１１で色版の選択の処理の際に、識別コードを合成する処理としてもよい。
【００６８】
さらに、識別コード生成部１２とデータ合成部１３を合わせて、送られてくる書込データから合成データを生成する構成としてもよい。
【００６９】
＜受信処理部＞
図６は、光通信システムの受信制御ＩＣの一例を説明する機能ブロック図である。本実施形態の光通信システムの受信処理は、受信制御ＩＣ４４、４５によって行われる。送信制御ＩＣ４４、４５による受信処理は、送信手段が送信したデータを受信処理する受信手段の一例である。
【００７０】
本実施形態の受信制御ＩＣ４４と受信制御ＩＣ４５は同様の処理を行うため、受信制御ＩＣ４４の処理を説明し、受信制御ＩＣ４５の処理は説明を省略する。
【００７１】
本実施形態の受信制御ＩＣ４４は、増幅部２１と、シリアル／パラレル変換部２２と、デコード部２３と、バッファ部２４と、パラレル／シリアル変換部２５と、レーザドライバ部２６１、２６２と、レーザ２７１と２７２と、エラー処理部２７を有する。また、受信制御ＩＣ４４には、受光素子５が接続している。
【００７２】
本実施形態の送信処理により発光素子４が発光した光を、受信素子５が受光する。受信素子５が受光した送信データの信号は、受光光量は微弱であるため、増幅部２１で増幅される処理が行われる。増幅された信号は、合成データとしてシリアル／パラレル変換部２２に送られる。
【００７３】
シリアル／パラレル変換部２２は、送られてきた合成データを、シリアルデータの形式から１０ビットのデータの形式に変換し、変換した１０ビットの合成データをデコード部２３に送る。
【００７４】
デコード部２３は、送られてきた１０ビットの合成データを８ビットに変換する。デコード部２３は、変換された８ビットの合成データから、後述する識別番号と識別コードを照合する判定処理を行う。
【００７５】
さらに、デコード部２３は、自身に送られてきたデータであると認識された合成データを、バッファ部２４に送る。
【００７６】
さらに、デコード部２３は合成データに含まれている識別コードをデコードデータとして、後述するエラー判定処理を行う。デコード部２３は、エラー判定処理の結果であるエラーフラグデータをエラー処理部２７に送る。
【００７７】
バッファ部２４は、送られてきた書込データを蓄積し、パラレル／シリアル変換部２５に合成データを送る。
【００７８】
パラレル／シリアル変換部２５は、送られてきた合成データをシリアルデータの形式に変換する。さらにパラレル／シリアル変換部２５は、合成データのうち、識別コードを除いた書込データをレーザドライバ部２６１、２６２に送る。識別コードの最下位ビットでＹ用のレーザドライバ部２６１に送るかＫ用のレーザドライバ部２６２に送るかを判定する。具体的には、識別コードはＹである場合「００００」であり、最下位ビットは「０」である。同様にＫである場合、識別コードは「０００１」であり、最下位ビットは「１」である。
【００７９】
パラレル／シリアル変換部２５は、識別コードの最下位ビットが「０」の場合、レーザドライバ部２６１に書込データを送る。同様にパラレル／シリアル変換部２５は、識別コードの最下位ビットが「１」の場合、レーザドライバ部２６２に書込データを送る。
【００８０】
レーザ２７１と２７２による露光は、感光体上を主走査方向に向かって時間的に順次連続してレーザを点灯する。レーザ２７１、２７２の点灯のタイミング制御は、レーザドライバ部２６１、２６２が、パラレル／シリアル変換部２５から送られてくるシリアルデータの形式となった書込データにしたがってレーザの制御を行う。
【００８１】
エラー処理部２７は、デコード部２３から送られてくるエラーフラグデータに基づいて後述するエラー処理を行う。
【００８２】
なお、本実施形態では受光素子５と増幅部２１と、シリアル／パラレル変換部２２と、デコード部２３と、バッファ部２４と、パラレル／シリアル変換部２５を２色で共通して使用する形態で例示したが、実施形態はこれに限られない。例えば、バッファ部以降を１色ごとに設ける構成としてもよい。
【００８３】
図７は、光通信システムの受信制御ＩＣの他の実施形態の一例を説明する機能ブロック図である。図７の実施形態の受信制御ＩＣ４４は、増幅部２１と、シリアル／パラレル変換部２２と、デコード部２３と、バッファ部２４１、２４２と、パラレル／シリアル変換部２５１、２５２と、レーザドライバ部２６１、２６２と、レーザ２７１と２７２と、エラー処理部２７を有する。また、受信制御ＩＣ４４には、受光素子５が接続している。
【００８４】
本実施形態では、合成データに含まれている識別コードの下位２ビットで判定をデコード部２３が行う。また、合成データから識別コードを除いて書込データとする処理もデコード部２３が行う。
【００８５】
また、本実施形態では露光にレーザを使用する形態で例示したが、実施形態はこれに限られない。例えば、ＬＥＤを使用してもよい。
＜識別コードと合成データ＞
図８は、識別コードと合成データの一例を説明する対応表である。
【００８６】
本実施形態の識別コードは、識別コード生成部１２によって生成される。識別コード生成部１２が生成する識別コードは例えば対応表２０１に記載の通りである。書込データがＹ、Ｍ、Ｃ、Ｋの４種類の色版であり、送られてくる書込データがＹである場合、識別コード生成部１２は書込データの色版のＹに対応させて「００００」の識別データを生成する。
【００８７】
本実施形態の合成データは、データ合成部１３によって生成される。
【００８８】
本実施形態のデータ合成部１３が生成する合成データは、例えば対応表２０２に記載の通りである。識別コード生成部１２が生成する識別コードの４ビットのデータを、色版セレクタ部１１から送られてくる書込データの４ビットのデータの上位に加える合成の処理を行う。例えば、識別コードが「００１１」、書込データが「１１００」の場合、合成データは８ビットのうち、上位４ビットが識別コードの「００１１」、下位４ビットが書込データの「１１００」を合わせた「００１１１１００」となる。
【００８９】
対応表２０２に記載の実施例の場合、書込データの色版がＹ、Ｋの場合、識別コードの下位２ビット目が「０」となる。同様に、書込データの色版がＭ、Ｃの場合、識別コードの下位２ビット目が「１」となる。
【００９０】
受信制御ＩＣ４４、４５は、自身に設定されている識別番号と識別コードの下位２ビット目を照合することで、受信処理の判定処理を行う。即ち、書込データの色版がＹ、Ｋの場合、識別コードは「００００」または「０００１」となり、受信制御ＩＣ４４は識別番号が「０」と設定してある。したがって、書込データの色版がＹ、Ｋのデータが送られてきた場合、判定処理で受信制御ＩＣ４４は自身に送られてきたデータであると認識することができる。
【００９１】
同様に、書込データの色版がＭ、Ｃの場合、識別コードは「００１０」または「００１１」となり、受信制御ＩＣ４５は識別番号が「１」と設定してある。したがって、書込データの色版がＭ、Ｃのデータが送られてきた場合、受信処理の判定処理で受信制御ＩＣ４５は自身に送られてきたデータであると認識することができる。
【００９２】
本実施形態の受信処理のデコード部２３は、データ合成部１３が合成した識別コードの部分、即ち、送られてきた合成データ８ビットのデータのうち、上位４ビットのデータからエラー判定処理を行う。
【００９３】
なお、識別コードを上位４ビットに合成する形式に限定するものではなく、合成データは８ビットのうち、上位４ビットを書込データ、下位４ビットを識別コードとしてもよい。
【００９４】
さらに、識別コードはコマンドデータを有するものでもよい。コマンドデータは、画像形成装置の制御状態を示すもので、例えば主走査方向の有効画像の始まりを示すスタートのコード（以下、スタートのコードという）、主走査方向の有効画像の終了を示すエンドのコード（以下、エンドのコードという）である。
【００９５】
図９は、識別コードの他の実施形態の一例を説明する対応表である。対応表２０３は、コマンドデータに対応させた識別コードの一例を示す対応表である。
【００９６】
対応表２０３に示す実施形態では、識別コードの最上位１ビット目をスタートのコードに対応させたスタートビット（以下、スタートビットという）とし、識別コードの上位２ビット目をエンドのコードに対応させたエンドビット（以下、エンドビットという）である。識別コードの下位２ビットは、対応表２０２の実施形態で示したものと同様に、書込データの色版に対応してデータ合成部１３が生成する。
【００９７】
例えば、Ｙの書込データを送信する場合で、かつ、スタートのコードのコマンドデータを合成する場合は、スタートビットは「１」となる。識別コードのエンドビットは「０」であり、識別コードのＹを示す色版に対応するデータは「００」である。したがって、識別コードは「１０００」となる。
【００９８】
対応表２０３に示す実施形態では、スタートビットとエンドビットで識別コードの上位２ビットを構成し、Ｙ、Ｍ、Ｃ、Ｋの色版に対応するデータで識別コードの下位２ビットを構成している。本実施形態によって、受信制御ＩＣは自身に送られてきたデータであると認識することができ、かつ、エラー判定処理を行うことができる。
【００９９】
また、識別コードは送信するデータをチェックするためのデータ（以下、チェックデータという）を有するものでもよい。対応表２０４は、チェックデータに対応させた識別コードの一例を示す対応表である。
【０１００】
識別コード４ビットのうち、下位２ビットは対応表２０２の実施形態で示したものと同様に込データの色版に対応してデータ合成部１３が生成する。識別コードの上位２ビットをチェックデータで構成する。
【０１０１】
チェックデータは、書込データ４ビットと識別コードの下位２ビットで示す書込データの色版に対応するデータを合わせた６ビットのデータ中に「１」となったビットがいくつあるかに基づいて生成される。対応表２０４は、チェックデータは、「１」の数が偶数である場合は「００」、「１」の数が奇数である場合は「０１」とした例である。
【０１０２】
例えば、書込データの色版がＫの場合、即ち、書込データの色版に対応するデータは「０１」であり、書込データが「００００」の場合で説明する。この場合、「１」となったビットの数は１つ、即ち、「１」となったビットの数は奇数であるから、チェックデータは「０１」となる。したがって、識別コードは、上位２ビットにチェックデータ「０１」、下位２ビットに書込データがＫとする色版に対応するデータは「０１」となる。よって、識別コードは「０１０１」となる。
【０１０３】
エラー処理部２７は、受信処理のエラー判定処理で、受信した書込データと識別コードの下位２ビットのデータからデータ中に「１」となったビットがいくつあるかをカウントし、カウントした値が偶数か奇数かを求める。エラー処理部２７は、求めた偶数／奇数と識別コードの上位２ビットにチェックデータを照合して、エラー判定処理を行う。
【０１０４】
本実施形態によって、本実施形態の発光素子４から受光素子５にデータを送信中に静電気等によるノイズデータを含んでしまった場合でも、チェックデータで受信したデータにノイズが含まれていることがわかる。
【０１０５】
本実施形態によって、受信制御ＩＣは自身に送られてきたデータであると認識することができ、かつ、エラー判定処理を行うことができる。
【０１０６】
＜画像形成装置の動作＞
図１０は、第１実施形態の画像形成装置による一連の動作の流れの一例を説明するフローチャートである。
【０１０７】
本実施形態の画像形成装置１０００は、外部装置等から画像形成要求を受け付けて、画像形成処理を開始する（ステップＳ１００１）。画像形成装置１０００よって画像形成処理が開始されると、コントローラ部１に入力された画像データが、画像処理部２によって階調処理等の画像の補正処理等の画像処理がされる（ステップＳ１００２）。
【０１０８】
次に、画像処理部２は、画像処理を行った画像データを画像処理部２から画像形成部３の光学装置１０１に送る。画像処理部２は、書込データを送る後述する送信処理を行う（ステップＳ１００３）。
【０１０９】
ステップＳ１００３の処理で画像処理部２から送られた書込データは、画像形成部３によって受信される。画像形成部３は、書込データを受け取る後述する受信処理を行う（ステップＳ１００４）。
【０１１０】
ステップＳ１００４の処理で画像形成部３による受信処理が終了した後、画像形成装置１０００の処理がすべて終了しているかを判断する（ステップＳ１００５）。すべて終了していると判断された場合（ステップＳ１００５でＹＥＳ）、画像形成装置１０００は終了処理を行う（ステップＳ１００６）。すべて終了していると判断されなかった場合（ステップＳ１００５でＮＯ）、ステップＳ１００１の処理に戻り、画像形成装置１０００は引き続き画像形成処理を行う。
【０１１１】
＜画像処理部による送信処理＞
図１１は、第１実施形態の画像形成装置による一連の動作の流れの一例を説明するフローチャートである。本処理は、図１０のステップＳ１００３の処理の一例である。
【０１１２】
本実施形態の画像処理部２は、画像形成部３の光学装置１０１に送信する書込データを受け付ける（ステップＳ１１０１）。書込データを受け付けた後、画像処理部２の識別コード生成部１２は、受け付けた送信する書込データに対応する識別コードを生成する（ステップＳ１１０２）。
【０１１３】
次に、画像処理部２のデータ合成部１３は、送信する書込データとステップＳ１１０２の処理で生成した識別コードから合成データを生成する（ステップＳ１１０３）。ステップＳ１１０３の処理で合成データを生成した後、画像処理部２の８ビット／１０ビット変換部１４は、８ビットの合成データを１０ビットに変換する（ステップＳ１１０４）。１０ビットに変換された合成データは、画像処理部２のパラレル／シリアル変換部１５によってシリアルデータ形式に変換される（ステップＳ１１０５）。
【０１１４】
次に、シリアルデータ形式に変換された合成データに基づいて、ドライバ部１６は発光素子４を発光する処理を行う。この処理によって送信データが送信される（ステップＳ１１０６）。ステップＳ１１０６の処理が終了した後、画像処理部２の送信処理がすべて終了しているかを判断する（ステップＳ１１０７）。すべて送信処理が終了していると判断された場合（ステップＳ１１０７でＹＥＳ）、画像処理部２は終了処理を行う（ステップＳ１１０８）。すべて終了していると判断されなかった場合（ステップＳ１１０７でＮＯ）、ステップＳ１１０１の処理に戻り、画像処理部２は引き続き送信処理を行う。
【０１１５】
＜画像形成部による受信処理＞
図１２は、第１実施形態における光通信システムの受信処理の流れの一例を説明するフローチャートである。本処理は、図１０のステップＳ１００４の処理の一例である。
【０１１６】
本実施形態の画像形成部３は、画像処理部２が送信した送信データを受信し、画像形成部３が受信したか否かを判断する（ステップＳ１２０１）。画像処理部２が送信した送信データを受信した場合（ステップＳ１２０１でＹＥＳ）、増幅部２１は受信した送信データの信号を増幅する処理を行う（ステップＳ１２０２）。画像処理部２が送信した送信データを受信していない場合（ステップＳ１２０１でＮＯ）、引き続き画像処理部２が送信した送信データを受信するステップＳ１２０１の処理に戻る。
【０１１７】
次に、画像形成部３のシリアル／パラレル変換部２２は、増幅部２１から送られてくる合成データをシリアルデータの形式から１０ビットのデータの形式に変換する（ステップＳ１２０３）。
【０１１８】
画像形成部３のデコード部２３は、１０ビットの合成データを８ビットのデータに変換する。デコード部２３は、変換された８ビットの合成データのうち、識別コードからデコードデータを生成する（ステップＳ１２０４）。
【０１１９】
デコード部２３は、生成したデコードデータから後述するエラー判定処理を行い、エラー判定処理によってエラーフラグデータを生成する（ステップＳ１２０５）。エラーフラグデータは、エラーがあると判断された場合、Ｈｉｇｈのデータがデコード部２３によって設定され、エラーがないと判断された場合、Ｌｏｗのデータがデコード部２３によって設定される。
【０１２０】
次に、画像形成部３は、ステップＳ１２０５の処理によって生成されたエラーフラグデータによってエラーがあったか否かを判断する（ステップＳ１２０６）。エラーがないと判断した場合（ステップＳ１２０６でＮＯ）、書込データをパラレル／シリアル変換部２５がシリアルデータ形式に変換する（ステップＳ１２０７）。レーザドライバ部２６１、２６２がレーザ２７１、２７２をシリアルデータ形式に変換された書込データに基づいてレーザの点灯を制御することで画像形成が行われる（ステップＳ１１０８）。エラーがあると判断した場合（ステップＳ１２０６でＹＥＳ）、エラー処理部２７が後述するエラー処理を行う（ステップＳ１２０９）。
【０１２１】
図６に示す実施形態の場合、パラレル／シリアル変換部２５が、ステップＳ１２０７で、識別コードに基づいて対応したレーザドライバ部へ書込データを送る。識別コードは、書込データの色版に対応しているので、受信制御ＩＣ４４が複数のレーザを制御することができる。
【０１２２】
なお、図７に示す実施形態の場合、デコード部２３がステップＳ１２０４で、識別コードに基づいて対応したバッファ部へ書込データを送る。
【０１２３】
ステップＳ１２０８またはステップＳ１２０９の処理の後、画像形成部３の受信処理がすべて終了しているかを判断する（ステップＳ１２１０）。すべて受信処理が終了していると判断された場合（ステップＳ１２１０でＹＥＳ）、画像形成部３は終了処理を行う（ステップＳ１２１１）。すべて終了していると判断されなかった場合（ステップＳ１２１０でＮＯ）、ステップＳ１２０１の処理に戻り、画像形成部３は引き続き受信処理を行う。
【０１２４】
＜デコード部によるエラー判定処理＞
図１３は、本発明の一実施形態におけるエラー判定処理の流れの一例を説明するフローチャートである。本処理は、デコード部２３が図１２のステップＳ１２０５の処理で行うエラー判定処理の一例である。
【０１２５】
デコード部２３は、ステップＳ１２０４で生成したデコードデータを受け付ける（ステップＳ１３０１）。デコードデータは、例えば図９の対応表２０３に示す実施形態では、識別コードにコマンドデータであるスタートのコード、エンドのコードが付加されている。
【０１２６】
デコード部２３は、デコードデータにコマンドデータ、即ちスタートコードまたはエンドコードを有しているか否かの判断を行う（ステップＳ１３０１）。具体的には、図９の対応表２０３に示す実施形態の場合、識別コードの上位２ビットがスタートビットとエンドビットで構成されているので、デコード部２３はデコードデータのスタートビットまたはエンドビットの何れかが「１」となっているか否かで判断できる。
【０１２７】
デコードデータにスタートのコード、エンドのコードがあると判断された場合（ステップＳ１３０２でＹＥＳ）、規定の画素数の画像形成が終了しているか否か判断を行う（ステップＳ１３０３）。画像形成が正常に処理されている場合は、スタートコードまたはエンドコードを受信することはない。画像形成の処理が行われている場合に、スタートコードまたはエンドコードを受信した場合は、何らかのエラーが起きたと判断できる。
【０１２８】
規定の画素数の画像形成が終了している場合（ステップＳ１３０３でＹＥＳ）またはデコードデータにスタートのコード、エンドのコードがないと判断された場合（ステップＳ１３０２でＮＯ）、画像形成処理はエラーなく正常に行われているといえるので、デコード部２３はエラーフラグをＬｏｗとする処理を行い（ステップＳ１３０４）、エラー判定処理を終了する。
【０１２９】
規定の画素数の画像形成が終了していない場合（ステップＳ１３０３でＮＯ）、デコード部２３はエラーフラグをＨｉｇｈとする処理を行い（ステップＳ１３０５）、エラー判定処理を終了する。
【０１３０】
また、エラー判定処理は、本実施形態ではデコードデータにコマンドデータであるスタートのコード、エンドのコードが付加されている場合を用いたが、実施形態はこれに限定しない。例えば、色版に対応するデータが付加されている場合では、ＹとＫの画像形成を行う受信制御ＩＣ４４に色版がＭまたはＣのデータが送られてきたものをエラーと判定する処理としてもよい。
【０１３１】
＜エラー処理部によるエラー処理＞
図１４は、第１実施形態におけるエラー処理の流れの一例を説明するフローチャートである。本処理は、エラー処理部２７が図１２のステップＳ１２０９の処理で行うエラー処理の一例である。
【０１３２】
デコード部２３は、図１２のステップＳ１２０５でエラー判定処理を行い、エラー判定処理でエラーフラグデータを生成する。エラー処理部２７は、生成されたエラーフラグデータを受け付ける（ステップＳ１４０１）。エラー処理部は、エラーフラグデータがＨｉｇｈか否かを判断する（ステップＳ１４０２）。デコード部２３がエラー判定処理でエラーと判定した場合、エラーフラグデータはＨｉｇｈとなっている。
【０１３３】
エラーフラグデータがＨｉｇｈである場合（ステップＳ１４０２でＹＥＳ）、エラーが起きている状態であるといえるため、画像形成装置１０００が画像形成を行うのを禁止する処理を行う（ステップＳ１４０３）。エラーフラグデータがＨｉｇｈでない場合（ステップＳ１４０２でＮＯ）、エラーがなく正常な処理が行われているといえるため、エラー処理をすることなく、ステップＳ１４０４の処理に進む。
【０１３４】
ステップＳ１４０２またはステップＳ１４０２の処理の後、エラー処理部２７のエラー処理がすべて終了しているかを判断する（ステップＳ１４０４）。すべて受信処理が終了していると判断された場合（ステップＳ１４０４でＹＥＳ）、エラー処理部２７は終了処理を行う（ステップ１４０５）。すべて終了していると判断されなかった場合（ステップＳ１４０４でＮＯ）、ステップＳ１４０１の処理に戻り、エラー処理部２７は引き続きエラー処理を行う。
【０１３５】
以上のように本実施形態では、通信システムにおいて、多面体ミラー等の部品を使うことなく、複数の送信先ごとに自身に送信されたデータを識別できるため、コストの削減を行うことができる。
【０１３６】
＜第２実施形態＞
第２実施形態では、第１実施形態の画像形成装置１０００を用いる。そのため、画像形成装置の構成及び機能ブロック図の説明は省略する。また、第２実施形態の一連の動作は、図１０で示した第１実施形態のものと同様に行う。第２実施形態の処理は、図１２のステップＳ１２０９であるエラー処理が第１実施形態と異なる。
【０１３７】
図１５は、第２実施形態におけるエラー処理の流れの一例を説明するフローチャートである。
【０１３８】
図１５に示すフローチャートの処理は、図１４のフローチャートの処理と比較してステップＳ１４０３の処理が異なる。
【０１３９】
したがって、図１４のステップＳ１４０１〜ステップＳ１４０２の処理は、図１５のステップＳ１５０１〜ステップＳ１５０２の処理と同一の処理であり、図１４のステップＳ１４０４〜ステップＳ１４０５の処理は、図１５のステップＳ１５０４〜ステップＳ１５０５の処理と同一の処理であるため、説明は省略する。
【０１４０】
エラーフラグデータがＨｉｇｈである場合（ステップＳ１５０２でＹＥＳ）、エラーが起きている状態であるといえるため、エラー処理部２７はエラーが生じたことを記憶する（ステップＳ１５０３）。
【０１４１】
以上のように本実施形態では、通信システムにおいて、多面体ミラー等の部品を使うことなく、複数の送信先ごとに自身に送信されたデータを識別できるため、コストの削減を行うことができる。また、エラーが起こったことを履歴として記憶しておくことで、のちにエラー発生原因を調査することができる。
【０１４２】
＜第３実施形態＞
第３実施形態では、第１実施形態の画像形成装置１０００を用いる。そのため、画像形成装置の構成及び機能ブロック図の説明は省略する。また、第３実施形態の一連の動作は、図１０で示した第１実施形態のものと同様に行う。第３実施形態の処理は、図１２のステップＳ１２０９であるエラー処理が第１実施形態と異なる。
【０１４３】
図１６は、第３実施形態におけるエラー処理の流れの一例を説明するフローチャートである。
【０１４４】
図１６に示すフローチャートの処理は、図１４のフローチャートの処理と比較してステップＳ１４０３の処理が異なる。
【０１４５】
したがって、図１４のステップＳ１４０１〜ステップＳ１４０２の処理は、図１６のステップＳ１６０１〜ステップＳ１６０２の処理と同一の処理であり、図１４のステップＳ１４０４〜ステップＳ１４０５の処理は、図１６のステップＳ１６０４〜ステップＳ１６０５の処理と同一の処理であるため、説明は省略する。
【０１４６】
エラーフラグデータがＨｉｇｈである場合（ステップＳ１６０２でＹＥＳ）、エラーが起きている状態であるといえるため、エラー処理部２７はエラーが生じた書込データを最初から送り直す処理を画像処理部２に要求する（ステップＳ１６０３）。
【０１４７】
＜第４実施形態＞
図１７は、本発明の一実施形態における電波通信システムのハードウェア構成図の一例を説明するブロック図である。
【０１４８】
本実施例では、第１実施形態の光通信に代えて電波通信を用いる。
【０１４９】
本実施例の画像処理部２は、電波通信用の送信制御ＩＣ２０６を有する。送信制御ＩＣ２０６には、送信アンテナ２０７が接続されている。送信アンテナ２０７は、送信制御ＩＣ２０６によって送信する電波の制御が行われている。
【０１５０】
各レーザ駆動部４１、４２は、それぞれ電波通信用の受信制御ＩＣ２０８、２０９を有する。受信制御ＩＣ２０８には、受信アンテナ２１０とレーザ２７１、２７２が接続されている。受信制御ＩＣ２０９には、受信アンテナ２１１と、レーザ２７３、２７４が接続されている。
【０１５１】
レーザ２７１、２７２、２７３、２７４は、Ｙ、Ｋ、Ｍ、Ｃの各色に対応しており、受信制御ＩＣ２０８、２０９によって光量や点灯のタイミングが制御される。受信制御ＩＣ２０８、２０９は、送信アンテナ２０７から送信されてきた送信データを受信し、受信した送信データにしたがって、ＹとＫの色に対応するレーザ２７１、２７２を制御する。受信制御ＩＣ２０９は、送信アンテナ２０７から送信されてきた送信データを受信し、受信した送信データにしたがって、ＹとＫの色に対応するレーザ２７３、２７４を制御する。なお、本実施形態の受信制御ＩＣ２０８、２０９は、それぞれ同様の動作を行うものである。
【０１５２】
本実施例の受信制御ＩＣ２０８、２０９は、送信されたデータのうち、自身に送信されたデータかを識別するための判定処理を行う。本実施例では、この判定処理を行うことで、受信アンテナ２１０、２１１のそれぞれが自身に送信されたデータを識別でき、受信の際にデータを取り違えることを抑制できる。
【０１５３】
送信制御ＩＣ２０６は、第１実施形態の図３の送信制御ＩＣ４３とドライバ部１６が送信アンテナ２０７を制御するものに代わったものである。したがって、送信制御ＩＣ２０６の他の機能は、送信制御ＩＣ４３と同様である。送信制御ＩＣ２０６の送信処理は、第１実施形態で示したものと同様のものが行える。
【０１５４】
受信制御ＩＣ２０８、２０９は、第１実施形態の図３の受信制御ＩＣ４４、４５と増幅部２１が受信アンテナ２１０、２１１からの信号を増幅するものに代わったものである。したがって、受信制御ＩＣ２０８、２０９の他の機能は、受信制御ＩＣ４４、４５と同様である。受信制御ＩＣ２０８、２０９の受信処理は、第１実施形態で示したものと同様のものが行える。
【０１５５】
以上のように本実施形態では、通信システムにおいて、多面体ミラー等の部品を使うことなく、複数の送信先ごとに自身に送信されたデータを識別できるため、コストの削減を行うことができる。また、送信データを最初から送り直すことで、途中でエラーが起きた画像についてもエラーなく画像形成をすることができる。
【０１５６】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１５７】
１０１  光学装置
１０００  画像形成装置
１  コントローラ部
２  画像処理部
３  画像形成部
４  発光素子
１１  色版セレクタ部
１２  識別コード生成部
１３  データ合成部
１４  ８ビット／１０ビット変換部
１５、２５、２５１、２５２  パラレル／シリアル変換部
１６  ドライバ部
２１  増幅部
２２  シリアル／パラレル変換部
２３  デコード部
２４、２４１、２４２  バッファ部
２６１、２６２  レーザドライバ部
２７１、２７２、２７３、２７４  レーザ
２７  エラー処理部
４１、４２  レーザ駆動部
４３、２０６  送信制御ＩＣ
４４、４５、２０８、２０９  受信制御ＩＣ
５、５１、５２  受光素子
２０７  送信アンテナ
２１０、２１１  受信アンテナ
２００  ハードウェア設定表
２０１、２０２、２０３、２０４  識別コード表
【先行技術文献】
【特許文献】
【０１５８】
【特許文献１】特開平８−８８６００号公報
【特許文献２】特開２００７−１５８５０３号公報
【図１】
2015018185.tif 000003
【図２】
2015018185.tif 000004
【図３】
2015018185.tif 000005
【図４】
2015018185.tif 000006
【図５】
2015018185.tif 000007
【図６】
2015018185.tif 000008
【図７】
2015018185.tif 000009
【図８】
2015018185.tif 000010
【図９】
2015018185.tif 000011
【図１０】
2015018185.tif 000012
【図１１】
2015018185.tif 000013
【図１２】
2015018185.tif 000014
【図１３】
2015018185.tif 000015
【図１４】
2015018185.tif 000016
【図１５】
2015018185.tif 000017
【図１６】
2015018185.tif 000018
【図１７】
2015018185.tif 000019